【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
板状、且つ周縁に少なくとも一つの直線縁を有する複数のボード部材を具備し、前記ボード部材が、前記直線縁同士を沿わせて隣接するように配置されていると共に、前記直線縁同士にわたって配置された連結体を介して、前記直線縁を回転中心として相対的に回転自在、且つ前記ボード部材の回転によって、前記ボード部材同士の表裏の対向面が対向するように重なり合う折り畳み状態と、前記ボード部材同士の前記直線縁が対向するように拡開する展開状態とに切り替え自在に連結され、前記連結体は、板状、且つ周縁に少なくとも一つの直線縁を有する複数の連結部材を具備し、前記連結部材は、隣接する前記ボード部材の夫々に、前記連結部材の前記直線縁が前記ボード部材の前記直線縁に沿うと共に、隣接する前記ボード部材の折り畳み状態で、前記連結部材同士の表裏の対向面が対向するように重なり合い、且つ隣接する前記ボード部材の展開状態において前記連結部材同士の前記直線縁が対向するように配置され、更に、隣接する一方の前記ボード部材に備えられた前記連結部材を磁石とし、他方の前記ボード部材に備えられた前記連結部材を前記磁石に吸着される素材としていることを特徴とするホワイトボード。
【請求項２】
複数の前記分離部材は、夫々、前記連結体を複数個備えていることを特徴とする請求項１記載のホワイトボード。
【請求項３】
複数の前記ボード部材は、夫々、磁石とする２個の前記連結部材を備え、前記連結部材が、前記ボード部材の同一の前記対向面において、互いに異なる磁極面となるように配置されていることを特徴とする請求項１又は２記載のホワイトボード。
【請求項４】
前記ボード部材に前記連結体を収容する収容凹部を備え、前記収容凹部は、前記ボード部材の前記直線縁から、該直線縁を除く前記ボード部材の他の周縁に向かって、前記連結体の周縁形状に適合する形状に形成されていることを特徴とする請求項１乃至３いずれか１項記載のホワイトボード。
【請求項５】
前記連結部材の厚さと前記ボード部材の厚さとを同じとし、前記連結部材の前記対向面と前記ボード部材の前記対向面とが同面となるように、前記連結体が前記収容凹部に収容されていることを特徴とする請求項４記載のホワイトボード。
【請求項６】
請求項１乃至５いずれか１項記載のホワイトボードに用いられるボード部材であって、前記ボード部材に備えられた前記連結部材が磁石であることを特徴とするボード部材。
【手続補正２】
【補正対象書類名】明細書
【補正対象項目名】発明の名称
【補正方法】変更
【補正の内容】
【発明の名称】ホワイトボード、及びこのホワイトボードに用いられるボード部材
【手続補正３】
【補正対象書類名】明細書
【補正対象項目名】０００１
【補正方法】変更
【補正の内容】
【０００１】
本発明は、複数のボード部材を備え、このボード部材同士を折り畳み・展開自在に連結されたホワイトボード及びこのホワイトボードに用いられるボード部材に関する。
【手続補正４】
【補正対象書類名】明細書
【補正対象項目名】０００２
【補正方法】変更
【補正の内容】
【０００２】
従来、複数の部材同士を連結部材により回転自在に連結し、連結部材を中心として回転させることで、部材同士が重なり合う折り畳み状態と、部材同士が拡開する展開状態とに切り替え自在としたホワイトボードは、下記の特許文献１に記載のボードセットが知られている。
【手続補正５】
【補正対象書類名】明細書
【補正対象項目名】００１３
【補正方法】変更
【補正の内容】
【００１３】
板状、且つ周縁に少なくとも一つの直線縁を有する複数のボード部材を具備し、前記ボード部材が、前記直線縁同士を沿わせて隣接するように配置されていると共に、前記直線縁同士にわたって配置された連結体を介して、前記直線縁を回転中心として相対的に回転自在、且つ前記ボード部材の回転によって、前記ボード部材同士の表裏の対向面が対向するように重なり合う折り畳み状態と、前記ボード部材同士の前記直線縁が対向するように拡開する展開状態とに切り替え自在に連結され、前記連結体は、板状、且つ周縁に少なくとも一つの直線縁を有する複数の連結部材を具備し、前記連結部材は、隣接する前記ボード部材の夫々に、前記連結部材の前記直線縁が前記ボード部材の前記直線縁に沿うと共に、隣接する前記ボード部材の折り畳み状態で、前記連結部材同士の表裏の対向面が対向するように重なり合い、且つ隣接する前記ボード部材の展開状態において前記連結部材同士の前記直線縁が対向するように配置され、更に、隣接する一方の前記ボード部材に備えられた前記連結部材を磁石とし、他方の前記ボード部材に備えられた前記連結部材を前記磁石に吸着される素材としていることを特徴とするホワイトボードである。
【手続補正６】
【補正対象書類名】明細書
【補正対象項目名】００１４
【補正方法】変更
【補正の内容】
【００１４】
前述のホワイトボードに用いられるボード部材であって、前記ボード部材に備えられた前記連結部材が磁石であることを特徴とするボード部材である。
【手続補正７】
【補正対象書類名】明細書
【補正対象項目名】００１５
【補正方法】削除
【補正の内容】
【手続補正８】
【補正対象書類名】明細書
【補正対象項目名】００１９
【補正方法】変更
【補正の内容】
【００１９】
本発明のホワイトボードは、複数の前記ボード部材が、夫々、前記連結体を複数個備えていることが好ましい。
【手続補正９】
【補正対象書類名】明細書
【補正対象項目名】００２０
【補正方法】変更
【補正の内容】
【００２０】
また、複数の前記ボード部材は、夫々、磁石とする２個の前記連結体を備え、前記連結体が、前記ボード部材の同一の前記対向面において、互いに異なる磁極面となるようにが配置されていることが好ましい。
【手続補正１０】
【補正対象書類名】明細書
【補正対象項目名】００２１
【補正方法】変更
【補正の内容】
【００２１】
また、前記ボード部材に前記連結体を収容する収容凹部を備え、前記収容凹部は、前記ボード部材の前記直線縁から、該直線縁を除く前記ボード部材の他の周縁に向かって、前記連結体の周縁形状に適合する形状に形成されていることが好ましい。
【手続補正１１】
【補正対象書類名】明細書
【補正対象項目名】００２２
【補正方法】変更
【補正の内容】
【００２２】
また、前記連結部材の厚さと前記ボード部材の厚さとを同じとし、前記連結部材の前記対向面と前記ボード部材の前記対向面とが同面となるように、前記連結体が前記収容凹部に収容されていることが好ましい。
【手続補正１２】
【補正対象書類名】明細書
【補正対象項目名】００２３
【補正方法】変更
【補正の内容】
【００２３】
本発明に係る連結体のボード部材に用いられる磁石は、磁力が強いネオジウム（ネオジム）磁石が好ましい。
【手続補正１３】
【補正対象書類名】明細書
【補正対象項目名】００２４
【補正方法】変更
【補正の内容】
【００２４】
本発明に係るホワイトボードは、例えば、ホワイトボード以外にも、カラーボード、アルバム、写真立て、絵本、紙芝居等としても実施できる。  
【手続補正１４】
【補正対象書類名】明細書
【補正対象項目名】００２５
【補正方法】変更
【補正の内容】
【００２５】
ホワイトボードは、拭くことで消すことができるインクを用いたホワイトボードマーカーで筆記できるものである。また、ホワイトボードをアルバム、写真立て、絵本、紙芝居として実施した場合でも、ホワイトボードやカラーボードのように、ホワイトボードマーカーで筆記できると共に、拭くことで消すことができるようにしてもよい。
【手続補正１５】
【補正対象書類名】明細書
【補正対象項目名】００２６
【補正方法】変更
【補正の内容】
【００２６】
以下、本発明の実施形態に係るホワイトボード、及びボード部材を図１〜図８に基づいて説明する。
【手続補正１６】
【補正対象書類名】明細書
【補正対象項目名】００７１
【補正方法】変更
【補正の内容】
【００７１】
Ａ：連結体
Ａ１：連結部材
Ａ２：連結部材
Ａ１０：Ｎ極面（対向面）
Ａ１１：Ｓ極面（対向面）
Ａ２０：Ｎ極面（対向面）
Ａ２１：Ｓ極面（対向面）
Ａ１２：直線縁
Ａ２２：直線縁
Ｂ：ホワイトボード
Ｂ１：ボード部材
Ｂ２：ボード部材
Ｂ３：ボード部材
Ｂ４：ボード部材
Ｃ：収容凹部
Ｂ１０：直線縁
Ｂ２０：直線縁
Ｂ３０：直線縁
Ｂ４０：直線縁
Ｂ１１：直線縁
Ｂ２１：直線縁
Ｂ３１：直線縁
Ｂ４１：直線縁
Ｂ１２：対向面
Ｂ２２：対向面
Ｂ３２：対向面
Ｂ４２：対向面
Ｂ１３：対向面
Ｂ２３：対向面
Ｂ３３：対向面
Ｂ４３：対向面